(57)【要約】【課題】炊飯量の判定結果を表示することで、炊飯量に応じて炊き分けていることを表示すること。【解決手段】ご飯を入れる鍋と、鍋を加熱する加熱手段と、鍋の温度を検知する温度検知手段と、温度検知手段からの入力により炊飯量を判定する炊飯量判定手段と、炊飯量判定手段の判定結果を表示する炊飯量判定結果表示手段と、少なくとも１つ以上のキーからなる入力手段と、入力手段からの入力により炊飯や保温を開始し加熱手段を所定の処理手順に従い駆動する制御手段を備えることにより、炊飯量の判定結果を表示することで、使用者が認知することができる。【選択図】　図１
2004089249.tif 000002
【特許請求の範囲】
【請求項１】
ご飯を入れる鍋と、前記鍋を加熱する加熱手段と、前記鍋の温度を検知する温度検知手段と、前記温度検知手段からの入力により炊飯量を判定する炊飯量判定手段と、前記炊飯量判定手段の判定結果を表示する炊飯量判定結果表示手段と、少なくとも１つ以上のキーからなる入力手段と、前記入力手段からの入力により炊飯や保温を開始し前記加熱手段を所定の処理手順に従い駆動する制御手段を備えた炊飯器。
【請求項２】
炊飯量判定手段の判定結果が所定の炊飯量であった場合、所定の動作モードで前記炊飯量判定結果表示手段が前記炊飯量判定手段の判定結果を表示する請求項１記載の炊飯器。
【請求項３】
炊飯量判定結果表示手段が所定のモードにおいて前記炊飯量判定手段の判定結果に応じた表示となることを特徴とした請求項１記載の炊飯器。
【請求項４】
炊飯量判定結果表示手段が前記炊飯量判定手段の炊飯量判定中と炊飯量判定後で異なる表示動作となることを特徴とした請求項１記載の炊飯器。
【請求項５】
ご飯を入れる鍋と、前記鍋を加熱する加熱手段と、前記鍋の温度を検知する温度検知手段と、前記温度検知手段からの入力により炊飯量を判定する炊飯量判定手段と、圧電ブザーなどからなる報知手段と、少なくとも１つ以上のキーからなる入力手段と、前記入力手段からの入力により炊飯や保温を開始し前記加熱手段を所定の処理手順に従い駆動する制御手段を備え、前記報知手段が前記炊飯量判定手段の炊飯量判定が完了した時点で報知手段が鳴動することを特徴とした炊飯器。
【発明の詳細な説明】
【０００１】
【発明の属する技術分野】
本発明は主に一般家庭で使用される炊飯器に関するものである。
【０００２】
【従来の技術】
近年、この種の炊飯器としては炊飯器自身が炊飯量を計測し、その計測結果に応じた炊飯シーケンスにより炊飯を行うものが主流になっている。
【０００３】
図７は従来の炊飯器の機能ブロック図を示すものである。図７において、１はご飯を入れる鍋、２は鍋１を加熱する加熱手段、３は鍋１の温度を検知する温度検知手段、４は温度検知手段３からの入力により炊飯量を判定する炊飯量判定手段、６は少なくとも１つ以上のキーからなる入力手段、７は入力手段６からの入力により炊飯や保温を開始し加熱手段２を所定の処理手順に従い駆動する制御手段である。
【０００４】
以上のように構成された従来の炊飯器において、使用者が入力手段６を操作することで制御手段７は所定の炊飯シーケンスに基づき炊飯を開始する。炊飯器は炊飯途中において温度検知手段３が第１の所定の温度を検知してから第２の所定の温度を検知するまでの時間を測定する。この第１の所定の温度を検知してから第２の所定の温度を検知するまでに要する時間により炊飯量判定手段４は炊飯量を判定する。その後、この判定結果に応じた炊飯シーケンスで制御手段７は加熱手段２を駆動し炊飯を行う。
【０００５】
【発明が解決しようとする課題】
しかしながら、前記従来の構成では、炊飯量判定手段の判定結果を表示する機能を具備していなので、炊飯器が炊飯量に応じた炊飯シーケンスで炊飯を行っていることを使用者が積極的に認識することができないという課題を有していた。
【０００６】
本発明は、前記従来の課題を解決するもので、炊飯工程における炊飯量判定結果を表示する手段を具備し、炊飯量を判定する手段により判定した炊飯量を表示させることで使用者が炊飯量に応じた炊飯シーケンスで動作していること認知することができる炊飯器を提供することを目的とする。
【０００７】
【課題を解決するための手段】
前記従来の課題を解決するために、本発明の炊飯器は、ご飯を入れる鍋と、前記鍋を加熱する加熱手段と、前記鍋の温度を検知する温度検知手段と、前記温度検知手段からの入力により炊飯量を判定する炊飯量判定手段と、前記炊飯量判定手段の判定結果を表示することが可能な炊飯量判定結果表示手段と、少なくとも１つ以上のキーからなる入力手段と、前記入力手段からの入力により炊飯や保温を開始し前記加熱手段を所定の処理手順に従い駆動する制御手段を備えたものであり、前記炊飯量判定結果表示手段が前記炊飯量判定手段の判定結果を表示することで、使用者は炊飯器に炊飯量判定手段が具備されておりその機能が働いていることと、実炊飯量と炊飯量判定手段の判定結果を比較することで炊飯量判定手段が正しく機能し、実炊飯量に応じた炊飯シーケンスで炊飯しているかどうかを認識することが可能となる。
【０００８】
【発明の実施の形態】
請求項１に記載の発明は、ご飯を入れる鍋と、前記鍋を加熱する加熱手段と、前記鍋の温度を検知する温度検知手段と、前記温度検知手段からの入力により炊飯量を判定する炊飯量判定手段と、前記炊飯量判定手段の判定結果を表示することが可能な炊飯量判定結果表示手段と、少なくとも１つ以上のキーからなる入力手段と、前記入力手段からの入力により炊飯や保温を開始し前記加熱手段を所定の処理手順に従い駆動する制御手段を備え、所定のモードにおいて前記炊飯量判定結果表示手段が前記炊飯量判定手段の判定結果を表示することにより、炊飯器が炊飯量判定手段を具備していることを使用者は認知することができる。
【０００９】
請求項２に記載の発明は、特に請求項１記載の炊飯量判定結果表示手段が所定の炊飯量であった場合のみ所定の動作モードで炊飯量判定手段の判定結果を表示するものとすることにより、炊飯器が特に所定の炊飯量に適した炊飯シーケンスにより炊飯を行っていることを使用者は認知することができる。
【００１０】
請求項３に記載の発明は、特に請求項１記載の炊飯量判定結果表示手段を炊飯量判定手段の判定結果に応じた表示が可能なものとすることにより、使用者は炊飯量に応じた炊飯シーケンスで炊飯を行っていることを使用者は認知することができる。
【００１１】
請求項４に記載の発明は、特に請求項１、請求項２、請求項３記載の炊飯量判定結果表示手段が炊飯量判定手段による炊飯量判定が行われていることを表示するので使用者は炊飯量判定手段が機能し炊飯量を判定していることを認知することができる。
【００１２】
請求項５に記載の発明は、ご飯を入れる鍋と、前記鍋を加熱する加熱手段と、前記鍋の温度を検知する温度検知手段と、前記温度検知手段からの入力により炊飯量を判定する炊飯量判定手段と、圧電ブザーなどからなる報知手段と、少なくとも１つ以上のキーからなる入力手段と、前記入力手段からの入力により炊飯や保温を開始し前記加熱手段を所定の処理手順に従い駆動する制御手段を備えることにより、所定のモードにおいて前記報知手段を前記炊飯量判定手段の炊飯量判定の完了時点で鳴動させることができる。このことにより使用者は炊飯量判定の完了を認知することができる。
【００１３】
【実施例】
以下本発明の実施例について、図面を参照しながら説明する。
【００１４】
（実施例１）
図１は、本発明の第１の実施例における炊飯器のブロック図であり、図１において１はご飯を入れる鍋、２は鍋１を加熱する加熱手段、３は鍋１の温度を検知する温度検知手段、４は温度検知手段３からの入力により炊飯量を判定する炊飯量判定手段、５はＬＥＤなどの表示素子からなり炊飯量判定手段４の判定結果を所定のモードにおいて点灯する表示する炊飯量判定結果表示手段、６は炊飯を開始する炊飯キーと炊飯や保温の状態から待機状態にするための切キーからなる入力手段、７は入力手段６からの入力により炊飯や保温を開始し加熱手段２を所定の処理手順に従い駆動する制御手段である。
【００１５】
図２および図３において１１は入力手段６の一構成要素である炊飯キー、１２は入力手段６の一構成要素である切キーである。
【００１６】
以上のように構成された炊飯器において、使用者が炊飯器を操作する前のいわゆる待機モードにおいて、炊飯量判定結果表示手段５は炊飯量判定結果を表示しない。すなわち図２にしめすように第１の表示部１３は消灯状態である。待機モードにおいて使用者が入力手段６の炊飯キー１１を操作することで待機状態から炊飯モードに移行し、炊飯モードにおいて制御手段７は所定の炊飯シーケンスに基づき炊飯を行う。
【００１７】
炊飯量判定手段４は温度検知手段３が炊飯途中において鍋１の温度が第１の所定の温度を検知した時間を基準として、鍋１の温度が第１の所定の温度よりも高い第２の所定の温度を温度検知手段３が検知するまでの時間を測定している。この第１の所定の温度を検知してから第２の所定の温度を検知するまでに要する時間により炊飯量判定手段４は炊飯量を判定している。この炊飯量判定手段４の炊飯量判定結果が第１の所定の炊飯量以上であれば、図２に示すように炊飯量判定結果表示手段５の第１の表示部１３は点灯しないが、炊飯量判定手段４の炊飯量判定結果が第１の所定の炊飯量以下であれば、図３に示すように炊飯量判定結果表示手段５の第１の表示部１３は点灯表示となる。
【００１８】
その後制御手段７は炊飯量判定手段４の炊飯量判定結果に応じた炊飯シーケンスに基づき加熱手段２を駆動し炊飯を完了させた後、自動的に保温モードへ移行し、所定の保温シーケンスに基づき動作をする。この保温モードにおいても炊飯量判定結果表示手段５の表示内容は継続される。
【００１９】
その後使用者が入力手段６の切キー１２を操作するなどにより炊飯器の動作モードが待機モードになると、第１の炊飯量判定結果表示手段８の表示は消灯となる。すなわち図２に示すように炊飯量判定結果表示手段５の第１の表示部１３は消灯となる。
【００２０】
なお、本実施例では炊飯量判定結果表示手段５が表示するのを炊飯量判定手段４の判定結果が第１の所定の炊飯量以下としたが、特にその限りでなくともよく、炊飯量判定手段４の判定結果が第１の所定の炊飯量以上である場合や第１の所定の炊飯量以上かつ第１の所定の炊飯量よりも多く炊飯可能な最大量よりも少ない第２の炊飯量以下である場合に表示するものとしてもよい。
【００２１】
また、炊飯量判定結果表示手段５の表示は炊飯モードにおける炊飯量判定手段４の判定完了以後から保温モードとしたが、特にこの限りでなくともよい。また、炊飯量判定手段４の炊飯量判定は少なくと炊飯量判定結果表示手段５での表示が可能となる２段階以上であればよい。
【００２２】
（実施例２）
図４は、本発明の第２の実施例における炊飯器のブロック図であり、図４において、１はご飯を入れる鍋、２は鍋１を加熱する加熱手段、３は鍋１の温度を検知する温度検知手段、４は温度検知手段３からの入力により炊飯量を判定する炊飯量判定手段、５はＬＥＤなどの表示素子からなり炊飯量判定手段４の判定結果を所定のモードにて表示する炊飯量判定結果表示手段、６は炊飯を開始する炊飯キーと炊飯や保温の状態から待機状態にするための切キーからなる入力手段、７は入力手段６からの入力により炊飯や保温を開始し加熱手段２を所定の処理手順に従い駆動する制御手段であり、８は圧電ブザーなどからなる報知手段である。
【００２３】
図５および図６は、表示操作部の要部を示す図であり、図５および図６において、１１は入力手段６の一構成要素である炊飯キー、１２は入力手段６の一構成要素である切キーであり、１４は炊飯量判定結果表示手段５の一構成要素である第２の表示部であり、１５は炊飯量判定結果表示手段５の一構成要素である第３の表示部であり、１６は炊飯量判定結果表示手段５の一構成要素である第４の表示部である。
【００２４】
以上のように構成された炊飯器において、使用者が炊飯器を操作する前のいわゆる待機モードにおいては、図５に示すように炊飯量判定結果表示手段５は炊飯量判定結果を表示しない。待機モードにおいて使用者が入力手段６の炊飯キー１１を操作することで待機状態から炊飯モードに移行し、炊飯モードにおいて制御手段７は所定の炊飯シーケンスに基づき炊飯を行う。
【００２５】
炊飯量判定手段４は温度検知手段３が炊飯途中において鍋１の温度が第１の所定の温度を検知した時間を基準として、鍋１の温度が第１の所定の温度よりも高い第２の所定の温度を温度検知手段３が検知するまでの時間を測定しており、炊飯量判定手段４による炊飯量判定が完了すると制御手段７は報知手段８を（０．１秒オン、０．１秒オフ）を２回の鳴動パターンにより駆動し、使用者に炊飯量判定が完了したことを報知する。この第１の所定の温度を検知してから第２の所定の温度を検知するまでに要する時間により炊飯量判定手段４は炊飯量を判定している。
【００２６】
炊飯量判定結果表示手段５は温度検知手段３が鍋１の温度が第１の所定の温度を検知した時点からまずは第２の表示部１４を０．４秒オン、０．４秒オフの周期で点滅表示させる。炊飯量判定手段４の判定中に炊飯量判定結果が第１の所定の炊飯量未満となると炊飯量判定結果表示手段５の第２の表示部１４は点灯表示となり、制御手段７は炊飯量判定手段４の炊飯量判定結果に応じた炊飯シーケンスに基づき加熱手段２を駆動し炊飯を継続する。
【００２７】
炊飯量判定手段４の炊飯量判定中に炊飯量判定結果が少なくとも第１の所定の炊飯量以上となることが確定すると炊飯量判定結果表示手段５は第２の表示部１４を点灯させるとともに第３の表示部１５を０．４秒オン、０．４秒オフの周期で点滅表示させる。
【００２８】
炊飯量判定手段４の判定結果が第１の所定の炊飯量以上かつ第２の所定の炊飯量未満となると、図６に示すように炊飯量判定結果表示手段５の第２の表示部１４と第３の表示部１５は点灯表示となり、制御手段７は炊飯量判定手段４の炊飯量判定結果に応じた炊飯シーケンスに基づき加熱手段２を駆動し炊飯を継続する。
【００２９】
炊飯量判定手段４が炊飯量判定中に炊飯量判定結果が少なくとも第２の所定の炊飯量以上となることが確定すると炊飯量判定結果表示手段５は第２の表示部１４ならびに第３の表示部１５を点灯させるとともに第４の表示部１６を０．４秒オン、０．４秒オフの周期で点滅表示させる。
【００３０】
炊飯量判定手段４の判定結果が第２の所定の炊飯量以上となると炊飯量判定結果表示手段５の第２の表示部１４と第３の表示部１５と第４の表示部１６は点灯表示となり、制御手段７は炊飯量判定手段４の炊飯量判定結果に応じた炊飯シーケンスに基づき加熱手段２を駆動し炊飯を継続する。
【００３１】
その後炊飯が完了すると自動的に保温モードへ移行し、所定の保温シーケンスに基づき動作をする。この保温モードにおいても炊飯量判定結果表示手段５の表示は継続表示される。その後使用者が入力手段６の切キー１２を操作するなどにより炊飯器の動作モードが待機モードになると、図５に示すように炊飯量判定結果表示手段５の第２の表示部１４第３の表示部１５第４の表示部１６全てが消灯となる。
【００３２】
なお、本実施例では、炊飯量判定結果表示手段５は第２の表示部１４、第３の表示部１５、第４の表示部１６からなる３段階の表示としたが、特にこの限りでなくともよい。
【００３３】
また、炊飯量判定結果表示手段５の表示は炊飯モードにおける炊飯量判定手段４の判定完了以後から保温モードとしたが、特にこの限りでなくともよい。
【００３４】
また、炊飯量判定中の炊飯量判定結果表示手段５の点滅周期は０．４秒オン、０．４秒オフとしたが特にこの限りでなくともよい。
【００３５】
また、炊飯量判定手段４の炊飯量判定結果後に報知手段８が鳴動する鳴動パターンを（０．１秒オン、０．１秒オフ）を２回としたが、特にこの限りでなくともよい。
【００３６】
【発明の効果】
以上のように、請求項１記載の発明によれば、炊飯量判定結果を表示することが可能な炊飯量判定結果表示手段を備えているので、所定のモードにおいて炊飯量判定結果を表示することが可能となり、炊飯器に炊飯量判定結果表示手段が備えられていることを使用者は認知することができる。
【００３７】
また、請求項２に記載の発明によれば、特に炊飯量判定結果表示手段の表示を所定の炊飯量に限り行うものとすることにより、特に所定の炊飯量に適した炊飯シーケンスにより炊飯を行っていることを使用者は認知することができる。
【００３８】
請求項３に記載の発明は、特に請求項１記載の炊飯量判定結果表示手段を炊飯量判定手段の判定結果に応じた表示が可能なものとすることにより、使用者はそれぞれの炊飯量に応じた炊飯シーケンスで炊飯を行っていることを使用者は認知することができるとともに、実炊飯量と炊飯量判定手段の判定結果の比較をすることが可能となり炊飯量判定手段が正しく機能しているかどうかを認識することが可能となる。
【００３９】
また、請求項４に記載の発明によれば、炊飯量判定手段が炊飯量判定中でることを炊飯量判定結果表示手段に表示することが可能となり、使用者は炊飯量判定手段が機能し炊飯量を判定している経過を認知することができる。
【００４０】
さらに請求項５に記載の発明によれば、報知手段を備え、炊飯量判定手段の炊飯量判定が終了した時点で報知手段による報知があることから、使用者は炊飯器から離れていても炊飯量判定の完了を認知することができる。
【図面の簡単な説明】
【図１】本発明の実施例１における炊飯器のブロック図
【図２】同炊飯器の表示操作部を示す図
【図３】同炊飯器の表示部を示す図
【図４】本発明の実施例２の炊飯器のブロック図
【図５】同炊飯器の表示操作部を示す図
【図６】同炊飯器の表示部を示す図
【図７】従来の炊飯器のブロック図
【符号の説明】
１　鍋
２　加熱手段
３　温度検知手段
４　炊飯量判定手段
５　炊飯量判定結果表示手段
６　入力手段
７　制御手段
８　報知手段
１１　炊飯キー
１２　切キー
１３　第１の表示部
１４　第２の表示部
１５　第３の表示部
１６　第４の表示部
【図１】
2004089249.tif 000003
【図２】
2004089249.tif 000004
【図３】
2004089249.tif 000005
【図４】
2004089249.tif 000006
【図５】
2004089249.tif 000007
【図６】
2004089249.tif 000008
【図７】
2004089249.tif 000009